(57)【要約】  【課題】  洗浄槽内の見通しを良好にでき、洗浄槽内の食器をスムーズに取出すことができるようにする。  【解決手段】  内部に水が噴射される洗浄槽２と、該洗浄槽２の開口部２１の上下を閉じ、上下方向へ回動自在に枢支された上部扉６及び下部扉７とを備えており、前記開口部２１の上部扉６で閉じられる上部を後方へ傾斜させ、上部扉６には開口部２１の上部に沿って傾斜する傾斜部６ａを設けることにより、開口部２１を開放したとき、洗浄槽２内の見通しを良好にできるようにし、また、傾斜部６ａに透光部６１を設けることにより、開口部２１が閉じられているとき、透光部６１から洗浄槽２内を容易に見通すことができるようにした。【選択図】        図１
2006061315.tif 000002
【特許請求の範囲】
【請求項１】
その前面に開口部を有する洗浄槽と、前記開口部の側部に枢支された扉体とを備えた食器洗い機において、前記開口部の両側縁は上部が後方へ傾斜しており、前記扉体は、前記両側縁の上部に沿って傾斜する傾斜部を有することを特徴とする食器洗い機。
【請求項２】
その前面に開口部を有する洗浄槽と、前記開口部の側部に枢支された上部扉及び下部扉とを備えた食器洗い機において、前記開口部の両側縁は上部が後方へ傾斜しており、前記上部扉は、前記両側縁の上部に沿って傾斜する傾斜部を有することを特徴とする食器洗い機。
【請求項３】
前記傾斜部は透光部を有する請求項１又は２記載の食器洗い機。
【請求項４】
前記上部扉は前記透光部よりも上側に非透光部を有しており、前記開口部を前記上部扉が開放したとき、前記非透光部が前記洗浄槽の外部上面と対向し、前記透光部が前記開口部に臨むように前記上部扉が枢支されている請求項３記載の食器洗い機。
【請求項５】
前記上部扉は前記透光部と、該透光部の周りに配されたフレームと、該フレームの両側に突設された被枢支部とを有しており、該透光部、フレーム及び被枢支部が一体に成形されている請求項３又は４記載の食器洗い機。
【請求項６】
前記上部扉は前記フレームの前面に化粧板を有する請求項５記載の食器洗い機。
【発明の詳細な説明】
【技術分野】
【０００１】
本発明は洗浄槽の開口部に上部扉及び下部扉が配された食器洗い機に関する。
【背景技術】
【０００２】
食器洗い機は、全体が直方体に形成されており、正面の開口部は全周面に亘って同一平面上にあり、該開口部に覗き窓を有する１つの扉が配されている（例えば、特許文献１）。
【０００３】
また、全体が直方体に形成されており、正面の開口部は全周面に亘って同一平面上にあり、該開口部に覗き窓を有する上部扉及び下部扉が配された食器洗い機も知られている。
【特許文献１】実開平２−１１２２５１号公報
【発明の開示】
【発明が解決しようとする課題】
【０００４】
ところが、特許文献１のように１つの扉を備える食器洗い機にあっては、洗浄槽内の食器棚から食器を取り出し難いし、また、扉部分のデザインが制約されるという問題がある。
【０００５】
また、上部扉及び下部扉を有する食器洗い機にあっては、上部扉及び下部扉が開口部の全周面に亘って同一平面上にあるため、洗浄槽内の見通しがよくないし、また、洗浄槽内の上部に支持された食器をスムーズに取り出すことができないという問題があった。
【０００６】
本発明は斯かる事情に鑑みてなされたものであり、主たる目的は洗浄槽の開口部両側縁の上部を後方へ傾斜させ、開口部両側縁の上部に沿って傾斜する傾斜部を扉体に設けることにより、洗浄槽内の見通しを良好にでき、洗浄槽内の食器をスムーズに取出すことができる食器洗い機を提供することにある。
【０００７】
また、他の目的は洗浄槽の開口部両側縁の上部を後方へ傾斜させ、開口部両側縁の上部に沿って傾斜する傾斜部を上部扉に設けることにより、洗浄槽内の見通しを良好にでき、洗浄槽内の食器をスムーズに取出すことができる食器洗い機を提供することにある。
【０００８】
また、他の目的は扉体又は上部扉の傾斜部に透光部を設けることにより、洗浄槽の開口部が扉体又は上部扉及び下部扉で閉じられているとき、傾斜部の透光部から洗浄槽内を容易に見通すことができる食器洗い機を提供することにある。
【０００９】
また、他の目的は上部扉の透光部よりも上側に非透光部を設け、開口部を上部扉が開放したとき、非透光部が洗浄槽の外部上面と対向し、透光部が開口部に臨むように上部扉を枢支することにより、洗浄槽の開口部を上部扉が開放したとき、傾斜部の透光部から洗浄槽内へ照明光を取入れることができ、さらに透光部の内側が汚れた場合でも、透光部内側の汚れを容易に拭き取ることができる食器洗い機を提供することにある。
【００１０】
また、他の目的は透光部と、該透光部の周りに配されたフレームと、該フレームの両側に突設された被枢支部とを上部扉が有し、透光部、フレーム及び被枢支部を一体に成形した構成とすることにより、回動自在に枢支される上部扉を、透光部を備える割に構造を簡単にでき、組付作業性を改善できる食器洗い機を提供することにある。
【００１１】
また、他の目的は上部扉のフレームの前面に化粧板を設けることにより、上部扉の装飾の自由度を高めることができ、上部扉の剛性を高めることができる食器洗い機を提供することにある。
【課題を解決するための手段】
【００１２】
本発明に係る食器洗い機は、その前面に開口部を有する洗浄槽と、前記開口部の側部に枢支された扉体とを備えた食器洗い機において、前記開口部の両側縁は上部が後方へ傾斜しており、前記扉体は、前記両側縁の上部に沿って傾斜する傾斜部を有することを特徴とする。
【００１３】
この発明にあっては、洗浄槽の開口部は両側縁の上部が後方へ傾斜しており、しかも、扉体は前記両側縁の上部に沿って傾斜する傾斜部を有するため、洗浄槽内の見通しを良好にでき、また、洗浄槽内の食器をスムーズに取出すことができる。
【００１４】
また、本発明に係る食器洗い機は、その前面に開口部を有する洗浄槽と、前記開口部の側部に枢支された上部扉及び下部扉とを備えた食器洗い機において、前記開口部の両側縁は上部が後方へ傾斜しており、前記上部扉は、前記両側縁の上部に沿って傾斜する傾斜部を有することを特徴とする。
【００１５】
この発明にあっては、洗浄槽の開口部は両側縁の上部が後方へ傾斜しており、しかも、上部扉は前記両側縁の上部に沿って傾斜する傾斜部を有するため、洗浄槽内の見通しを良好にでき、また、洗浄槽内の食器をスムーズに取出すことができる。
【００１６】
また、本発明に係る食器洗い機は、前記傾斜部は透光部を有することを特徴とする。
【００１７】
この発明にあっては、洗浄槽の開口部が上部扉及び下部扉で閉じられているとき、傾斜部の透光部から洗浄槽内を容易に見通すことができる。
【００１８】
また、本発明に係る食器洗い機は、前記上部扉は前記透光部よりも上側に非透光部を有しており、前記開口部を前記上部扉が開放したとき、前記非透光部が前記洗浄槽の外部上面と対向し、前記透光部が前記開口部に臨むように前記上部扉が枢支されていることを特徴とする。
【００１９】
この発明にあっては、洗浄槽の開口部を上部扉が開放したとき、該上部扉の非透光部が洗浄槽の外部上面と対向し、透光部が開口部に臨む位置にあり、該透光部から洗浄槽内へ照明光を取入れることができるため、開口部が開放されているときの洗浄槽内を容易に見通すことができる。また、開口部を上部扉が開放した状態では、透光部が開口部に臨む位置にあるため、透光部の内側（洗浄槽側）が汚れた場合でも、透光部内側の汚れを容易に拭き取ることができる。また、洗浄槽の外部上面を載置面とすることができ、洗浄槽の外部上面に物品を置くことができる。
【００２０】
また、本発明に係る食器洗い機は、前記上部扉は前記透光部と、該透光部の周りに配されたフレームと、該フレームの両側に突設された被枢支部とを有しており、該透光部、フレーム及び被枢支部が一体に成形されていることを特徴とする。
【００２１】
この発明にあっては、回動自在に枢支される上部扉を、透光部を備える割に構造を簡単にでき、組付作業性を改善できる。
【００２２】
また、本発明に係る食器洗い機は、前記上部扉は前記フレームの前面に化粧板を有することを特徴とする。
【００２３】
この発明にあっては、上部扉の装飾の自由度を高めることができ、しかも、上部扉の剛性を高めることができる。
【発明の効果】
【００２４】
本発明によれば、開口部両側縁の傾斜及び扉体の傾斜部により、洗浄槽内の見通しを良好にでき、しかも、洗浄槽内の食器をスムーズに取出すことができる。
【００２５】
本発明によれば、開口部両側縁の傾斜及び上部扉の傾斜部により、洗浄槽内の見通しを良好にでき、しかも、洗浄槽内の食器をスムーズに取出すことができる。
【００２６】
また、本発明によれば、洗浄槽の開口部が上部扉及び下部扉で閉じられているとき、傾斜部の透光部から洗浄槽内を容易に見通すことができる。
【００２７】
また、本発明によれば、洗浄槽の開口部を上部扉が開放したとき、傾斜部の透光部から洗浄槽内へ照明光を取入れることができ、洗浄槽内を容易に見通すことができる。しかも、透光部の内側（洗浄槽側）が汚れた場合でも、開口部を上部扉が開放した状態で透光部内側の汚れを容易に拭き取ることができる。また、洗浄槽の外部上面を載置面とすることができ、洗浄槽の外部上面に物品を置くことができる。
【００２８】
また、本発明によれば、透光部を備える割には、回動自在に枢支される上部扉の構造を簡単にでき、組付作業性を改善できる。
【００２９】
また、本発明によれば、上部扉の装飾の自由度を高めることができ、上部扉の剛性を高めることができる。
【発明を実施するための最良の形態】
【００３０】
以下本発明をその実施の形態を示す図面に基づいて詳述する。図１は本発明に係る食器洗い機の構成を示す縦断側面図、図２は上部扉の構成を示す拡大断面図、図３は洗浄槽の開口部を開放した状態を示す断面図、図４は食器洗い機の構成を示す正面図である。
【００３１】
図に示した食器洗い機は、筐体１と、該筐体１内に配置され、その前面に開口部２１を有する洗浄槽２と、該洗浄槽２に収容され、食器Ａが載せられるあみ篭形状の食器受具３と、該食器受具３の下側に配置され、食器受具３に載せられた食器Ａに向けて水を噴射する複数の回転可能なノズル４と、該ノズル４に分配弁を介して加圧水を供給するポンプ（図示せず）と、洗浄槽２内を乾燥させるヒータ５と、開口部２１の上下を閉じ、上下方向へ回動自在に筐体１に枢支された上部扉６及び下部扉７とを備える食器洗い乾燥機である。
【００３２】
洗浄槽２の開口部２１の両側縁は、床への載置面１０とほぼ直交する垂直面２１ａ，２１ａと、該垂直面２１ａ，２１ａの上部から洗浄槽２の後方へ傾斜する傾斜面２１ｂ，２１ｂとを有する。この傾斜面２１ｂ，２１ｂは上部扉６により閉じられる部分の途中から傾斜しており、垂直面２１ａ，２１ａ及び傾斜面２１ｂ，２１ｂは湾曲面２１ｃ，２１ｃにより連なっている。また、傾斜面２１ｂ，２１ｂの途中には後記する被枢支部の動作を案内する案内溝が設けられている。尚、傾斜面２１ｂ，２１ｂは図１、図３のように湾曲した面としてあるが、その他、平坦な面としてもよい。
【００３３】
上部扉６は開口部２１の両側縁の傾斜面２１ｂ，２１ｂに沿って傾斜する傾斜部６ａと、該傾斜部６ａに連なり、開口部２１の垂直面２１ａ，２１ａに沿う垂直部６ｂとを有しており、傾斜部６ａに透光部６１が設けられている。また、上部扉６は、透光部６１と、該透光部６１の周りに配された枠形のフレーム６２と、該フレーム６２の上部両側に突設された２つの被枢支部６３，６３と、フレーム６２の前面を被覆する化粧板６４と、該化粧板６４に保持され、透光部６１の前面に配置された透光板６５とを有しており、透光部６１、フレーム６２及び被枢支部６３，６３が透光性を有する合成樹脂材料により一体に成形され、フレーム６２に化粧板６４が結合されている。尚、傾斜部６ａは傾斜面２１ｂ，２１ｂの両側縁と同じく湾曲した面としてあるが、その他、平坦な面としてもよい。
【００３４】
被枢支部６３，６３は略Ｃ字形をなし、案内溝内に配されており、該被枢支部６３，６３の先端部が枢軸９，９により筐体１の両側部に枢支されている。この枢支は、上部扉６が開口部２１を開放したとき、透光部６１よりも上側の非透光部６６が筐体１の外部上面１ａ、換言すれば洗浄槽２の外部上面と対向し、透光部６１が開口部２１に臨むようになしてある。
【００３５】
傾斜部６ａ及び垂直部６ｂは開口部２１の両側縁の湾曲面２１ｃ，２１ｃに沿う湾曲部６ｃを介して連なっており、この湾曲部６ｃに、化粧板６４を貫通する長孔６７、及びフレーム６２と一体に成形され、洗浄槽２内の食器乾燥後の暖気を外部に排気する複数の排気口６８が設けられており、排気口６８部分が長孔６７に挿入されている。また、フレーム６２の排気口６８側には洗浄槽２内の暖気が排気口６８から直接排気されるのを防ぐための排気口カバー６９が設けられており、また、垂直部６ｂのフレーム６２及び化粧板６４間には補強板６０が設けられている。
【００３６】
下部扉７は開口部２１の垂直面２１ａに沿って配置されるように扁平状に形成された合成樹脂製であり、両側の下部が、開口部２１を閉じたとき床への載置面１０とほぼ垂直状となり、開口部２１を開放したとき床への載置面１０とほぼ水平状となるように筐体１に枢支されている。また、下部扉７は扉本体７１と、該扉本体７１の前面に結合された化粧板７２とを有する。化粧板７２の中央上部には貫通孔７３、及び該貫通孔７３内に配置され、その押圧操作により上部扉６と下部扉７とを連動して開動作させるための開操作釦１１が設けられている。この開操作釦１１は図示しない連動機構を介して上部扉６及び下部扉７に連動連結されており、開操作釦１１の押圧により上部扉６及び下部扉７を自動的に開動作させ、上部扉６又は下部扉７を閉操作することにより上部扉６及び下部扉７が連動して閉動作するように構成されている。
【００３７】
以上のように構成された食器洗い機は、上部扉６及び下部扉７が洗浄槽２の開口部２１を閉じている状態で洗浄槽２内に食器Ａを収容する場合、開操作釦１１を押圧することにより、上部扉６及び下部扉７が連動して開動作し、また、開口部２１を閉じる場合、上部扉６又は下部扉７を閉操作することにより上部扉６及び下部扉７が連動して閉動作する。
【００３８】
洗浄槽２の開口部２１の両側縁は上部が傾斜しており、上部扉６が傾斜部６ａを有するため、開口部２１を開放したとき、洗浄槽２内を該洗浄槽２の斜め上方位置で見通すことができ、開口部２１の両側縁が傾斜していない場合に比べて洗浄槽２内の見通しを良好にでき、また、開口部２１を斜め上方へ開放することができるため、洗浄槽２内に収容された食器Ａをスムーズに取出すことができる。
【００３９】
また、上部扉６の傾斜部６ａには透光部６１が設けられているため、開口部２１が閉じられているとき、洗浄槽２内を該洗浄槽２の斜め上方位置で透光部６１から見通すことができる。しかも、上部扉６が開口部２１を開放したとき、該上部扉６は透光部６１よりも上側の非透光部６６が筺体１の外部上面１ａと対向し、透光部６１が開口部２１に臨むため、傾斜部６ａの透光部６１から洗浄槽２内へ照明光を取入れることができ、開口部２１が開放されているときの洗浄槽２内を容易に見通すことができる。また、筺体１の外部上面１ａを載置面とすることができるため、筺体１の外部上面１ａに物品を置くことができる。
【００４０】
尚、以上説明した実施の形態では上部扉６及び下部扉７を備えた食器洗い機について説明したが、その他、本発明に係る食器洗い機は開口部２１を、上下方向へ回動自在とした一つの扉体で閉じる構成としてもよい。この扉体は例えば上部扉６及び下部扉７が一体になっており、上部両側に被枢支部６３，６３が突設されており、該被枢支部６３，６３が筺体１に枢支された構成とする。
また、以上説明した実施の形態では上部扉６のフレーム６２の前面に化粧板６４を設けたが、その他、この化粧板６４をなくし、フレーム６２を着色等により非透光としてもよい。
また、開口部２１の両側縁の傾斜面２１ｂは、上部扉６により閉じられる部分の途中から傾斜する構成としたが、その他、上部扉６により閉じられる部分の全体が傾斜する構成としてもよい。
また、本発明に係る食器洗い機は、乾燥機能を有する食器洗い乾燥機の構成とする、乾燥機能をなくした食器洗い機の構成としてもよい。
【図面の簡単な説明】
【００４１】
【図１】本発明に係る食器洗い機の構成を示す縦断側面図である。
【図２】本発明に係る食器洗い機の上部扉の構成を示す拡大断面図である。
【図３】本発明に係る食器洗い機の洗浄槽の開口部を開放した状態を示す断面図である。
【図４】本発明に係る食器洗い機の構成を示す正面図である。
【符号の説明】
【００４２】
１ａ  外部上面
２    洗浄槽
２１  開口部
６    上部扉
６ａ  傾斜部
６１  透光部
６２  フレーム
６３  被枢支部
６４  化粧板
６６  非透光部
７    下部扉
【図１】
2006061315.tif 000003
【図２】
2006061315.tif 000004
【図３】
2006061315.tif 000005
【図４】
2006061315.tif 000006